(57)【要約】【課題】狭い領域の表示部であっても、表示すべき複数の選択肢を表示でき、かつ選ばれた特定の選択肢を表示できる表示装置、制御装置および表示方法を提供することにある。【解決手段】(a) 〜(f) 図に示されているような複数の画面を切替えて表示する表示装置において、(e) 、(f) 図に示されているような、選択肢を表示すべき旨の設定を行う設定画面が設けられている。該設定画面において、例えば「表紙」、「中継同報」などの選択肢が設定されると、該設定された選択肢は、前記複数の画面のうちの前記設定画面以外の他の画面である、例えばお好みキーの登録領域を有する基本画面に表示される。【選択図】図６
2006073036.tif 000002
【特許請求の範囲】
【請求項１】
複数の画面を切換えて表示する表示装置において、
所定の機能の実行を行う複数の機能キーを備える第１の画面と、
前記複数の画面のうち前記第１の画面とは異なる第２の画面と、
前記第１の画面における複数の機能キーの機能のうち所望の機能をユーザが選択して前記第２の画面にお好みキーとして割り付けられる設定手段とを備えることを特徴とする表示装置。
【請求項２】
前記第２の画面は、電源投入されると表示される基本画面であることを特徴とする請求項１に記載の表示装置。
【請求項３】
前記お好みキーは、複数設定されたことを特徴とする請求項１に記載の表示装置。
【請求項４】
前記第２の画面は、前記第２の画面から切換えて前記第１の画面を開くためのメニューキーを備えることを特徴とする請求項１に記載の表示装置。
【請求項５】
前記第２の画面は、前記設定手段による機能の割り付け時に、不表示状態であることを特徴とする請求項１に記載の表示装置。
【請求項６】
前記設定手段の設定は、前記第１の画面から設定されることを特徴とする請求項１に記載の表示装置。
【請求項７】
前記設定手段は、前記第１の画面に表示される設定キーと、該設定キーを介して表示され、かつ、ユーザが所望の機能を選択するための選択画面とを備え、前記第２の画面は、前記選択画面が表示されている際に、不表示状態であることを特徴とする請求項１に記載の表示装置。
【請求項８】
前記お好みキーは、操作されると該お好みキーの機能に対応したウィンドウが開くように構成されたことを特徴とする請求項１に記載の表示装置。
【請求項９】
前記第２の画面は、ユーザ毎に保存可能となるように構成されたことを特徴とする請求項１に記載の表示装置。
【請求項１０】
前記お好みキーは、前記機能が割り付けられる前は空白キーであり、前記機能が割り付けられた後は、機能名が表示されることを特徴とする請求項１に記載の表示装置。
【請求項１１】
複数の画面を切換えて表示する表示装置において、
所定の機能が割り付けられるお好みキーが表示される基本画面と、
複数の機能のうち所望の機能をユーザが選択して前記基本画面に前記お好みキーとして割り付けられる設定手段とを備えたことを特徴とする表示装置。
【請求項１２】
前記基本画面は、電源投入されると表示される基本画面であることを特徴とする請求項１１に記載の表示装置。
【請求項１３】
前記お好みキーは複数設定されたことを特徴とする請求項１１に記載の表示装置。
【請求項１４】
前記基本画面は、前記設定手段による機能の割り付け時に、不表示状態であることを特徴とする請求項１１に記載の表示装置。
【請求項１５】
前記設定手段の設定は、前記基本画面から設定されることを特徴とする請求項１１に記載の表示装置。
【請求項１６】
前記お好みキーは、操作されると該お好みキーの機能に対応したウィンドウが開くように構成されたことを特徴とする請求項１１に記載の表示装置。
【請求項１７】
前記基本画面は、ユーザ毎に保存可能となるように構成されたことを特徴とする請求項１１に記載の表示装置。
【請求項１８】
前記お好みキーは、前記機能が割り付けられる前は空白キーであり、前記機能が割り付けられた後は、機能名が表示されることを特徴とする請求項１１に記載の表示装置。
【請求項１９】
複数の画面を切換えて表示する表示装置を制御する制御装置において、
所定の機能の実行を行う複数の機能キーを第１の画面に表示すると共に、前記複数の画面のうち前記第１の画面とは異なる第２の画面に所定の機能が割り付けられるお好みキーを表示する表示画面処理部と、
前記第１の画面における複数の機能キーの機能のうち所望の機能をユーザが選択して前記第２の画面にお好みキーとして割り付ける機能割り付け部とを備えたことを特徴とする制御装置。
【請求項２０】
複数の画面を切換えて表示する表示装置を制御する制御装置において、
所定の機能が割り付けられるお好みキーを基本画面に表示する表示画面処理部と、
複数の機能のうち所望の機能をユーザが選択して前記基本画面にお好みキーとして割り付ける機能割り付け部とを備えたことを特徴とする制御装置。
【請求項２１】
所定の機能の実行を行う複数の機能キーを備える第１の画面と、前記第１の画面とは異なる第２の画面とを有する複数の画面を切換えて表示する表示装置の表示方法において、
前記第１の画面における複数の機能キーの機能のうち所望の機能をユーザが選択して前記第２の画面にお好みキーとして割り付ける工程と、
前記お好みキーを備えた前記第２の画面を表示する工程とを備えたことを特徴とする表示方法。
【請求項２２】
所定の機能が割り付けられるお好みキーが表示される基本画面を有する複数の画面を切換えて表示する表示装置の表示方法において、
前記第１の画面における複数の機能キーのうち所望の機能をユーザが選択して前記基本画面にお好みキーとして割り付ける行程と、
前記お好みキーを備えた前記基本画面を表示する工程とを備えたことを特徴とする表示方法。
【発明の詳細な説明】
【技術分野】
【０００１】
本発明は表示装置、制御装置および表示方法に関し、特に、複数の画面を切換えて表示する装置において、選択肢を表示すべき旨の設定を行う手段を備えた表示装置、制御装置および表示方法に関する。
【背景技術】
【０００２】
従来の選択肢を表示すべき旨の設定を行う手段を備えた表示装置の一例として、本出願人の特許出願である、特開平２−３０６３３４号公報に記されているものがある。
【０００３】
この公報の、例えば第３図には、メニュー形式で表現された選択肢の中から特定の選択肢を指定させる画像処理装置において、該画像処理装置の表示画面上に、階層的な選択肢、例えば階層１〜４のメニューを横に並べて表示させ、該階層２〜４のメニューの中の特定の選択肢（メニュー項目）をマウスに備えられている所定のボタンを押下して選択し、シフトキーを押下すると、該選択された特定の選択肢に対応する処理プログラムを呼び出すオブジェクトが生成されるとともに、該生成されたオブジェクトが選択肢表示領域とは異なる他の領域に割り付けられ、画面表示されるようにする技術が開示されている。そして、この技術によれば、前記選択肢表示領域とは異なる領域にオブジェクトを画面表示させることにより、前記特定の選択肢に対応する処理プログラムを直接実行させることができるようになる。
【特許文献１】特開平２−３０６３３４号公報
【発明の開示】
【発明が解決しようとする課題】
【０００４】
しかしながら、前記した従来技術においては、選択肢を割付けられる領域が同時に選択肢表示領域と同一の表示画面上に表示される必要があり、広い面積を有する表示画面が必要であるという問題があった。
【０００５】
本発明の目的は、前記した従来装置の問題点を除去し、狭い領域の表示部に、表示すべき複数の選択肢を表示でき、かつ選ばれた特定の選択肢を表示できる表示装置、制御装置および表示方法を提供することにある。
【課題を解決するための手段】
【０００６】
前記目的を達成するために、本発明は、複数の画面を切換えて表示する表示装置において、所定の機能の実行を行う複数の機能キーを備える第１の画面と、前記複数の画面のうち前記第１の画面とは異なる第２の画面と、前記第１の画面における複数の機能キーの機能のうち所望の機能をユーザが選択して前記第２の画面にお好みキーとして割り付けられる設定手段とを備えた点に特徴がある。
【０００７】
また、所定の機能が割り付けられるお好みキーが表示される基本画面と、複数の機能のうち所望の機能をユーザが選択して前記基本画面に前記お好みキーとして割り付けられる設定手段とを備えた点に他の特徴がある。
【０００８】
また、複数の画面を切換えて表示する表示装置を制御する制御装置において、所定の機能の実行を行う複数の機能キーを第１の画面に表示すると共に、前記複数の画面のうち前記第１の画面とは異なる第２の画面に所定の機能が割り付けられるお好みキーを表示する表示画面処理部と、前記第１の画面における複数の機能キーの機能のうち所望の機能をユーザが選択して前記第２の画面にお好みキーとして割り付ける機能割り付け部とを備えた点に他の特徴がある。
【０００９】
また、所定の機能が割り付けられるお好みキーを基本画面に表示する表示画面処理部と、複数の機能のうち所望の機能をユーザが選択して前記基本画面にお好みキーとして割り付ける機能割り付け部とを備えた点に他の特徴がある。
【００１０】
また、所定の機能の実行を行う複数の機能キーを備える第１の画面と、前記第１の画面とは異なる第２の画面とを有する複数の画面を切換えて表示する表示装置の表示方法において、前記第１の画面における複数の機能キーの機能のうち所望の機能をユーザが選択して前記第２の画面にお好みキーとして割り付ける工程と、前記お好みキーを備えた前記第２の画面を表示する工程とを備えた点に他の特徴がある。
【００１１】
さらに、所定の機能が割り付けられるお好みキーが表示される基本画面を有する複数の画面を切換えて表示する表示装置の表示方法において、前記第１の画面における複数の機能キーのうち所望の機能をユーザが選択して前記基本画面にお好みキーとして割り付ける行程と、前記お好みキーを備えた前記基本画面を表示する工程とを備えた点に他の特徴がある。
【００１２】
この発明の特徴によれば、前記第２の画面または基本画面においてお好みキーを表示する場所を指定することができるので、限られた狭いスペースの表示部においても、ユーザの指定した場所にお好みキーを表示することができる。
【発明の効果】
【００１３】
本発明によれば、お好みキーを表示すべき旨の設定を行う際に、ユーザの指定した場所にお好みキーを表示することができるようになる。
【発明を実施するための最良の形態】
【００１４】
以下に、図面を参照して、本発明を詳細に説明する。  
図５は、画像関連機器、例えば複写機−ファクシミリ複合機において、本発明により作成された表示部２の基本画面を示す。この表示部のハード構成は、図１０のものと同一または同等であり、座標入力機能を有している。本発明では、図５(a) に示されているように、電源投入直後に表示される表示部２の基本画面に、キー１１ａ〜１１ｃが追加されている。このキーには、ユーザが自由に機能を割り付けることができる。
【００１５】
例えば、同図(b) に示されているように、キー１１ａ〜１１ｃの各々に、「中継同報」、「オンフックダイヤル」、「電話帳」といったユーザの利用度の高い機能、換言すればユーザが好む機能を、選択肢の中から選んで割り付けることができる。したがって、以後該キー１１ａ〜１１ｃを「お好みキー」と呼ぶことにする。なお、図では３個のお好みキーが示されているが、３個に限定されるものではなく、３個以外であっても良い。
【００１６】
まず、前記お好みキー１１ａ〜１１ｃに機能を設定する動作を、図６を参照して説明する。
図５(a) の画面において、「専門」キーが押されると、図６(a) のメニューが開く。そこで、「仕様設定」キーが押されると、同図(b) のウインドウが開く。該ウインドウ上で「登録」キーが押されると、ウインドウの内容は同図(c) のようになり、次いで「パネル初期設定」キーが押されると、ウインドウの内容は同図(d) のような、選択しを表示すべき旨の設定を行う設定画面に変わる。続いて、「ＦＡＸお好みキー」が押されると、同図(e) の選択肢の表示を行う選択画面になる。図示されているように、この選択画面には、表紙、発信元記録、時刻指定、モニタープリント、送信部数、オンフックの６個の選択肢が表示される。
【００１７】
ここで、前記お好みキー１１ａ〜１１ｃに、前記(e) 図の表示内容の選択肢の中の機能を設定したければ、所望のキーを押せば良い。例えば、「時刻指定」を設定したければ、「時刻指定」キーを押せばよい。(e) 図の中に所望の機能がない場合には、「次ページ」キーが押される。そうすると、ウインドウの内容は(f) 図のようになる。そこで、図５(b) のように、お好みキー１１ａに「中継同報」を登録したければ、「中継同報」キーを押す。そうすると、該「中継同報」キーが白抜きの文字になり、お好みキー１１ａに登録されたことが指示される。
【００１８】
次に、お好みキー１１ｂに「オンフックダイヤル」を登録したければ、(g) 図で「前ページ」キーを押して、(e) 図のウインドウを出す。そこで、「オンフック」キーを押すと、お好みキー１１ｂに「オンフックダイヤル」が登録される。  さらに、お好みキー１１ｃに「電話帳」を登録したければ、前記の操作により(f) 図のウインドウを表示し、「電話帳」キーを押す。そうすると、ウインドウの表示は(g) 図のようになり、「電話帳」が白抜きの文字に変わり、お好みキー１１ｃに「電話帳」が登録される。
【００１９】
次に、「終了」キーが押されると、お好みキー１１ａ〜１１ｃへの機能設定は終了し、表示部２の表示は、図５(b) のメニューに戻る。このメニューにおいては、お好みキー１１ａ〜１１ｃに登録された機能名の表示がなされるので、どのお好みキーにどの機能が設定されたかは一目瞭然である。
【００２０】
次に、前記のように機能を設定したお好みキーを用いて、所望の機能を実行する場合の動作を、図７を参照して説明する。
【００２１】
複写機−ファクシミリ複合機の電源が投入されると、図７(a) の基本画面が表示される。そこで、ユーザがお好みキーの「中継同報」を押すと、同図(b) のウインドウが開かれる。このウインドウは、前記図１２(b) の内容と同一である。そこで、ユーザが前記テンキー５（図１０参照）から中継局ＩＤを指定し、続いて同報宛先を指定すると、表示画面は、図７の(c) 、(d) に示されているようになる。
【００２２】
前記(d) 図において、「中継局に印字」のキーが押されると、図８の(e) の表示がなされ、「終了」キーが押されると(f) 図の表示になる。また、前記(d) 図において、直接「終了」キーが押された場合も、(f) 図の表示になる。この表示においては、お好みキーの「中継同報」という文字が白黒反転する。この結果、ユーザは中継同報が実行されていることがわかる。
【００２３】
また、図９に他の動作例を示す。同図(a) に示されているように、お好みキーには、「モニタープリント」、「オンフックダイヤル」および「電話帳」が登録されているとする。この時、「電話帳」キーが押されると、同図(b) の画面になる。この画面中の「検索開始」キーが押されると、同図(c) の画面に変わり、宛先名が表示される。
【００２４】
そこで、ファクシミリ通信をする「宛先」が指先で指示されると、同図(d) に示されているように、指示された宛先の全桁の電話番号が表示される。宛先名の指定が終わった所で、スタートキー６（図１０参照）が押されると、前記宛先の電話番号が自動発呼される。そして、表示部２の画面は(e) 図になる。
【００２５】
この画面は前記基本画面において、お好みキーの「電話帳」が白黒反転したものであり、ユーザはこれにより、自動発呼が実行されていることを確認することができる。
【００２６】
また、ユーザは該基本画面から、次の機能の入力、例えば「通信モード」、「送信画質」、他のお好みキー等の入力を直ちに自由に行うことができる。
【００２７】
以上のように、本実施例によれば、基本画面にお好みキー１１ａ〜１１ｃが設けられているので、使用頻度の大きい機能をこのお好みキー１１ａ〜１１ｃに登録しておけば、ワンタッチで所望の機能のウインドウを開くことができ、機能を実行するための操作を能率良く進めることができる。このため、操作盤の操作性が向上する。
【００２８】
また、お好みキーによる機能の実行後、「終了」キーを押すと、お好みキーを含む元の基本画面に戻るので、基本モードの変更や他のお好みキーに設定された機能の選択を、前記「終了」キーの操作後、直ぐに行うことができる。これによっても、操作性を向上させることができる。
【００２９】
次に、本発明のハード構成の概略を、図３のブロック図を参照して説明する。  図において、１１は透明タッチパネル、１２は液晶表示器であり、これらにより前記表示部２（図１０参照）が構成されている。１３はキーボードであり、図１０のテンキー５、スタート、ストップキー６、７等に相当する。１４はキー入力コントローラ、１５は表示用コントローラである。
【００３０】
１６は画像入力部、１７は画像出力部であり、画像入力部１６は送信原稿を読取り、画像出力部１７は受信した画情報をプリントアウトする。１８はＣＰＵである。
【００３１】
１９はシステム制御用プログラムを格納されたＲＯＭ、２０はデータ記憶用不揮発性ＲＡＭ、２１は作業用データＲＡＭである。前記ＲＯＭ１９には、表示用プログラム、座標変換プログラム、キー入力処理プログラム、機能実行プログラム、データ登録制御プログラム等のプログラムが記憶されている。また、データ記憶用不揮発性ＲＡＭ２０には、お好みキー用メモリ、短縮ダイヤル登録メモリ、通信記録用メモリ等の記憶領域を有している。２２は回線制御部であり、電話回線との通信の整合をとる作用をする。
【００３２】
図４に、前記透明タッチパネル１１と液晶表示器１２の概念図を示す。透明タッチパネル１１は液晶表示器１２上に密着して設けられている。
【００３３】
透明タッチパネル１１は透明な導電体で構成された、Ｘ、Ｙ方向に伸びる線から構成されており、通常は互いに絶縁されているが、何らかの押圧力が加わるとその場所が短絡し、座標データがキー入力コントローラ１４に入力する。キー入力コントローラ１４は該座標データをキー入力信号として出力する。
【００３４】
前記液晶表示器１２は表示用コントローラ１５からの表示用データを表示する。これにより、図５〜図９で説明した内容の画面を表示させることができる。
【００３５】
次に、本発明の一実施例の構成を、図１の機能ブロック図を参照して説明する。  ３１はキー入力部であり、前記透明タッチパネル１１およびキーボード１３に対応する。すなわち、前記表示部２上に表示されるキーと、前記テンキー、スタート、ストップキー等に対応する。
【００３６】
３２は座標機能変換部であり、具体的には座標変換プログラムに対応する。該座標機能変換部は座標データをＣＰＵ１８が扱うことができる形式の座標データに変換する。３３は機能割り付け部であり、お好みキーに機能を割り付ける働きをする。３４はお好みキー用メモリであり、お好みキーの座標領域と、割り付けられた機能の関係を記憶する。
【００３７】
３４’は該お好みキー用メモリに格納されたデータの概念図である。座標欄には、前記座標機能変換部３２によって変換された座標データにより表現されたお好みキーの座標領域が記憶され、機能欄には、機能を表すデータ、パラメータデータ（例えば、中継局ＩＤのデータ、同報宛先等）等が記憶される。
【００３８】
３５は機能選択部であり、前記表示部の基本画面に表示されているお好みキーが押されると、該お好みキーの座標データにより、前記お好みキー用メモリ３４をアクセスして、対応する機能を選択する。３６はイベント処理部であり、具体的にはイベント処理プログラム、例えばキー入力処理プログラム、データ登録制御プログラム等により構成されている。イベント処理部３６は、前記キー入力部３１から入力されるキー操作に対応した機能の処理をする。例えば、図８の(f) 図におけるお好みキーの反転表示もこのイベント処理部３６で行われる。
【００３９】
３７は機能実行部であり、機能実行プログラムにより構成されている。例えばファクシミリ装置の原稿情報の送受信、同報通信、中継同報等の具体的な機能の実行を行う。３８は表示画面処理部であり、表示用プログラムにより構成されている。該表示画面処理部３８は、前記基本画面、メニュー、ウインドウ等の画面を表示部上に表示する機能を行う。３９は表示部であり、前記液晶表示器１２に相当する。
【００４０】
次に、図１の機能ブロック図を参照して、前記お好みキー１１ａ〜１１ｃに機能を割り付ける動作を説明する。
【００４１】
キー入力部３１のキーが操作されると、該キー入力を座標機能変換部３２がＣＰＵ１８が扱える形式の座標データに変換する。この座標データはイベント処理部３６により機能に変換され、表示画面処理部３８に送られる。表示画面処理部３８では、該機能に対応した表示用プログラムが進行する。この進行により、表示部３９の内容が前記機能に合った内容に更新される。
【００４２】
すなわち、キー入力部３１から、「専門」、「仕様設定」、「パネル初期設定」「ＦＡＸお好みキー」の各キーが順次選ばれると、これらはイベント処理部３６によりそれぞれの機能に変換される。これらの機能は、表示画面処理部３８に送られ、表示用プログラムの進行により、お好みキー設定の動作が進行する。そして、図６(e) 、(f) に表示されたキーによって、設定する機能が選択されると、この機能はイベント処理部３６から機能割り付け部３３に送られ、該機能割り付け部３３の作用により、お好みキー用メモリ３４の、まだ機能が割り付けられていない機能欄に登録される。
【００４３】
お好みキー用メモリ３４に登録されるデータの一例を、３４’に示す。お好みキー用データ３４’の座標欄には、予め前記表示部３９のお好みキーの座標が登録されており、前記の設定動作がなされると、機能欄の空欄に設定された機能が登録される。なお、この座標欄の座標データはメーカー側で固定的に用意してもよいし、ユーザが任意に設定できるようにしてもよい。
【００４４】
機能の割り付け動作が終り、「終了」キーが押され、表示部３９に前記基本画面が表示された時には、前記機能割り付け部３３によってお好みキー用メモリ３４から座標および機能データが読み出される。これらのデータはイベント処理部３６を介して表示画面処理部３８に送られ、該表示画面処理部３８の作用により表示部３９上の該当するお好みキー上に機能名が表示される。この結果、前記基本画面のお好みキー１１ａ〜１１ｃ上に、図５(b) のように、設定された機能名が表示される。
【００４５】
次に、前記基本画面に表示されたお好みキーを用いて機能を実行する時の動作を、図１および図２のフローチャートを参照して説明する。
【００４６】
装置に電源が投入されると、表示画面処理部３８の機能により、表示部３９に基本画面が表示される（ステップＳ１）。次に、表示部３９上のキー、すなわちキー入力部３１が操作されると、これがお好みキーか否かの判断がなされる（ステップＳ２）。お好みキーの場合には、機能選択部３５が座標データに基づいて、お好みキー用メモリ３４をアクセスして対応する機能を読みだし、これをイベント処理部３６を介して表示画面処理部３８に送る。表示画面処理部３８は該機能に対応したウインドウを表示部３９上に開く（ステップＳ３）。
【００４７】
次に、イベント処理部３６は、該ウインドウの内容に応じたキー入力部３１からの入力を受け付ける（ステップＳ４）。次いで、終了キーが押されたか否かの判断がなされ（ステップＳ５）、否定の時には、該イベントの処理を行う（ステップＳ６）。
【００４８】
ステップＳ５の判断が肯定になった時、すなわち終了キーが押された場合には、ステップＳ７に進んで、前記表示画面処理部３８により、ウインドウを閉じる動作が行われる。また、前記お好みキーに割り付けられた機能が、機能実行部３７の働きにより実行される。
【００４９】
この時、表示部３９には、イベント処理部３６、表示画面処理部３８の作用により、表示部３９に図８(f) 、図９(e) に示されているようなお好みキー上の文字が反転表示された基本画面が表示される。この反転表示は、お好みキーにより選択された機能が、前記機能実行部３７により実行に移されたことを保証するものであり、ユーザに安心感を与えることができるので、非常に有益である。また、従来装置は、多段のウインドウ下で動作を確認するように構成されていたので、次のキー操作に移るのに時間がかかったが、本発明では基本画面上において動作の確認ができるので、直ぐに次のキー操作に移ることができる。
【００５０】
以上の説明から明らかなように、本発明は、前記ステップＳ２、Ｓ３の動作をするので、お好みキーから直接対応する機能のウインドウを開くことができる。したがって、ユーザは直ぐにこの機能に対応するデータ等をウインドウ上に入力でき、その後該機能を実行に移すことができる。よって、操作盤の操作性を向上させることができる。
【００５１】
また、前記ステップＳ５、Ｓ７の動作をするので、終了キーがオンされると、直接基本画面に戻ることができ、基本画面に描写されているキー操作を直ぐにできるので、この点でも操作性が向上する。
【００５２】
また、ユーザごとに前記基本画面を装置内に保存できるようにすれば、ユーザが所有する磁気カードの識別番号等により、ユーザ独特の基本画面、すなわちユーザが設定した機能を有するお好みキーを含む基本画面を表示部に表示させることができる。
【００５３】
これを実現するためには、図１のお好みキー用メモリ３４に記憶される座標と機能のデータを、ユーザのＩＤコード（識別番号）別に記憶し、装置が使用される時には、装着された磁気カードから読み取られたＩＤコードと一致する前記データを前記お好みキー用メモリ３４から読みだし、イベント処理部３６を介して表示画面処理部３８に送って基本画面データを作るようにすれば良い。
【００５４】
なお、前記した実施例ではファクシミリ装置を中心にして説明したが、本発明はファクシミリ装置に限定されることなく、複写機等の画像関連機器等にも適用できることは勿論である。
【図面の簡単な説明】
【００５５】
【図１】本発明の一実施例の機能ブロック図である。
【図２】前記実施例の動作を説明するためのフローチャートである。
【図３】本発明のハード構成の概要を示すブロック図である。
【図４】図３の一部の構成の具体例を示す概念図である。
【図５】表示部に表示される本発明の一実施例の基本画面を示す図である。
【図６】お好みキーに、機能を割り付ける際の、表示部の表示内容を示す図である。
【図７】お好みキーを用いて、所望の機能を実行する時に、表示部に表示される表示内容の一例を示す図である。
【図８】図７の続きの図である。
【図９】お好みキーを用いて、所望の機能を実行する時に、表示部に表示される表示内容の他の例を示す図である。
【図１０】操作盤の一例の平面図である。
【図１１】操作盤の表示部に表示される従来の基本画面の一例を示す図である。
【図１２】操作盤の表示部に表示されたキーを用いて、所望の機能を実行する時に、従来の表示部に表示される表示内容の例を示す図である。
【図１３】図１２の続きの図である。
【符号の説明】
【００５６】
３１…キー入力部、３２…座標機能変換部、３３…機能割り付け部、３４…お好みキー用メモリ、３５…機能選択部、３６…イベント処理部、３７…機能実行部、３８…表示画面処理部、３９…表示部。
【図１】
2006073036.tif 000003
【図２】
2006073036.tif 000004
【図３】
2006073036.tif 000005
【図４】
2006073036.tif 000006
【図５】
2006073036.tif 000007
【図６】
2006073036.tif 000008
【図７】
2006073036.tif 000009
【図８】
2006073036.tif 000010
【図９】
2006073036.tif 000011
【図１０】
2006073036.tif 000012
【図１１】
2006073036.tif 000013
【図１２】
2006073036.tif 000014
【図１３】
2006073036.tif 000015